(57)【要約】【課題】液晶パネルに表示された画像を感光材に露光するに際して、露光レンズを、例えば光源光学系の光軸から偏倚させて、光源光学系の光軸を中心として旋回させることにより、結像光の結像位置を変化させ、液晶パネルの一の液晶素子に対して複数の個所に液晶素子像を配した画像を形成するようにする。【解決手段】液晶パネル６１を透過した結像光を、光軸が液晶パネル６１を照射する光源光学系の光軸から偏倚させてある露光レンズ６３を透過させ印画紙５に結像させて焼き付ける。露光レンズ６３を透過した結像光は、光源光学系の光軸から偏倚した位置で結像するから、露光レンズ６３をほぼ９０°で旋回させ順次露光を行えば高密度の液晶素子像で画像が得られる。【選択図】        図１
2004151581.tif 000002
【特許請求の範囲】
【請求項１】
縦横に多数の液晶素子が配列された液晶パネルに表示される画像を感光材上に結像させて露光するに際し、一の液晶素子によって形成される液晶素子像を複数箇所に形成して、該感光材に画像を形成する画像焼付装置において、
前記液晶パネルに表示された画像を感光材上に結像させる露光レンズを、光軸と直交する面内で旋回可能に支持するレンズ旋回手段を設け、該旋回手段によって前記露光レンズを旋回させ、
該旋回を複数の位置で停止させて、
感光材に前記複数の位置に対応する露光を重ねて付与することを特徴とする画像焼付装置。
【請求項２】
縦横に多数の液晶素子が配列された液晶パネルに表示される画像を感光材上に結像させて露光するに際し、一の液晶素子によって形成される液晶素子像を複数箇所に形成して、該感光材に画像を形成する画像焼付装置において、
前記液晶パネルに表示された画像を感光材上に結像させる露光レンズを、光軸と直交する面内で旋回可能に支持するレンズ旋回手段を設け、該旋回手段によって前記露光レンズを旋回させ、
該旋回を継続しながら感光材に露光を付与することを特徴とする画像焼付装置。
【請求項３】
前記レンズ旋回手段は、
光軸を中心として回動可能なレンズホルダに前記露光レンズを保持させ、
前記レンズホルダに対して前記露光レンズを偏倚させて保持させ、
前記レンズホルダを回動させるホルダ回動機構からなることを特徴とする請求項１または請求項２に記載の画像焼付装置。
【請求項４】
前記露光レンズの鏡筒は、調整ブロックを介して前記レンズホルダに取り付けられることを特徴とする請求項３に記載の画像焼付装置。
【発明の詳細な説明】
【０００１】
【発明の属する技術分野】
この発明は、液晶パネルに表示された画像を印画紙等の感光材に焼き付ける画像焼付装置に関する。
【０００２】
【従来の技術】
デジタル技術の発達は写真の焼き付け技術にも貢献し、写真撮影によりフィルムに形成された原画をデジタル画像データに変換し、該画像データに基づいた原画を液晶パネルに再現し、この再現画像を印画紙に焼き付ける画像焼付装置が普及している。図５に示すように、液晶パネル２０１  を透過した光が、露光レンズ２０２  を透過して、印画紙２０３  に結像することにより、液晶パネル２０１  に再現された画像をこの印画紙２０３  に焼き付けるようにしてある。液晶パネルはそれぞれが透過状態を制御される複数の液晶素子を配列させて構成されており、それぞれの素子に前記画像データを対応させることにより、液晶パネルに原画を再現することができる。この液晶パネルに再現された原画に光を透過させれば、感光材に焼き付けることができる。
【０００３】
ところで、液晶パネルは液晶素子が縦横その他規則的に配列されて構成されており、液晶素子の間には素子が存しない間隙が存在している。液晶素子の密度が高ければこの間隙が小さくなって、該液晶パネルで感光材に焼き付けられて得られた画像は高密度の液晶素子像で形成されて、より原画に忠実な再現性が得られる。しかし、液晶素子の密度を高くするには、それぞれの素子の配線スペースの確保や、製造コスト等の理由により限界がある。
【０００４】
このため、特許文献１に示す画像焼付装置では、１つの液晶素子に対して感光材上の複数個所に焼き付けることにより、感光材上の液晶素子像数を擬似的に増加させて感光材に形成される液晶素子像間を補間する手法が採用される場合がある。すなわち、この画像焼付装置は、縦横に複数配列された液晶素子から構成され、各液晶素子の透過状態を電気的に制御して各液晶素子に対応した画像を表示し、光源からの光を各液晶素子に対応した透過状態で透過させる液晶パネルと、前記液晶パネルを透過した光路の光軸上に配置され、出射時の光軸が入射時の光軸に対して平行な光軸となるように、その光軸を法線とする傾斜角度に応じて入射時と出射時とで偏向する偏向手段と、前記偏向手段を前記結像光の光軸を法線とする位置を中心に、同一角度に振り分けて位置決めする位置決め手段とから構成されている。そして、この偏向手段として、結像光路中に配したガラス板を光軸と直交する方向を軸として揺動可能に設けた構造が採用されている。
【０００５】
また、特許文献２には、カラー液晶表示装置を微小振動させることにより、作成されたプリントが、見かけ上コントラストレベルが上がって、彩度が向上することになる画像焼き付け装置が提案されている。この液晶表示装置を微小振動させる機構として、弾性を有する支持柱によって支持された液晶表示装置の枠部分に該液晶表示装置の辺部と平行な方向を軸として回転可能なローラを支持させ、このローラに偏芯カムを接触させ、該偏芯カムをモータによって回転させるようにした構造が記載されている。
【０００６】
また、特許文献３に記載された画像焼き付け装置のように、液晶表示装置に表示された画像を感光材料に縮小して結像させる際に、液晶表示装置全体を微小半径の回転運動で振動させて行うようにしたものがある。これは、液晶表示装置の支持枠の四隅に偏芯回転する軸を貫通させて設け、この４本の軸のそれぞれに嵌着させたプーリにタイミングベルトを捲回させた構造とされたもので、モータの出力回転でタイミングベルトを無端循環移動させることによるプーリの偏芯運動で液晶表示装置を円運動させるようにしたものである。
【０００７】
【特許文献１】
特開平０９−０８０６３４号
【特許文献２】
特開平１１−１４２９７８号
【特許文献３】
特開２００２−０８２３９０号
【０００８】
【発明が解決しようとする課題】
しかしながら、上述した従来の液晶素子像間を補間する画像焼付装置では、次のような問題が生じるおそれがある。特許文献１と特許文献２に記載された画像焼付装置による液晶素子像間の補間では、図６（ａ）に示す液晶素子像を、同図（ｂ）または（ｃ）のそれぞれの位置にずらして液晶素子像の密度を擬似的に増加させるものである。すなわち、同図（ｂ）では液晶素子像が上下にずれた位置に配置されて、液晶素子像Ｐ１０が下方向の液晶素子像Ｐ１１の位置にも露光された場合であり、同図（ｃ）では液晶素子像が上下斜め方向にずれた位置に配置される場合となる。液晶素子像の配置密度は位置をずらさない場合に比べて見かけ上２倍となって、液晶素子像の形成される部分が増加している。しかし、これら図６（ｂ）、（ｃ）に示されている状態では、直線上にある複数位置に液晶素子像が形成されるものであるため、この直線と交差する方向にある液晶素子像との関係では、未だ液晶素子像間に間隙が形成された状態となっている。このため、十分な補間とならず、感光材に焼き付けられた画像に微細な未露光部が生じるおそれがある。
【０００９】
前述した従来の画像焼付装置で未露光部として残存する液晶素子像間の間隙は、光軸をずらす機構が、特許文献１のものではガラス板を光軸と直交する方向を軸として揺動させる構造であり、特許文献２のものでは液晶表示装置を往復直線移動させる構造であって、直線上にある二位置の間でずらすことができるのみであるからである。
【００１０】
また、特許文献３に記載された画像焼付装置では、液晶表示装置を円運動させるため、未露光部が少なくなるが、液晶表示装置の駆動にタイミングベルトによるベルト機構が用いられているから、次のような問題が生じるおそれがある。この種の画像焼付装置は、撮影済みフィルムの現像からプリントまでを行う写真店や写真現像店等のいわゆるラボに設置され、大量のフィルムを処理する場合に用いられる。このため、この画像焼付装置の使用頻度は非常に高く、耐久性が要求される。しかし、タイミングベルトによる駆動であるため、ベルトの伸びが生じやすく、伸びた状態では所望の円運動を行わせることができなくなり、未露光部を減少させるという所望の効果を達成できなくなるおそれがある。また、伸びた状態のベルトは破断しやすくなる。伸びたり破断した場合には、ベルトを交換しなければならない。また、タイミングベルトは弾性や可撓性を備えていなければならず、一般的に材質にゴムが用いられているため、無端循環移動の動作時にプーリとの間で摩擦が生じて、微粉末が発生するおそれがある。発生した微粉末が感光材に付着した場合には、そのプリントは不良品となってしまうので、微粉末が発生するおそれがあるベルトは迅速に交換する必要がある。これらの場合に、ベルトの交換作業には時間を要するので、その間の画像焼付装置の停止により、フィルムの焼き付け処理が停滞するおそれがある。
【００１１】
そこで、この発明は、１つの素子で任意の数の位置に露光することにより、液晶素子像の間隙にも液晶素子像を焼き付けて、感光材に焼き付けられた画像の未露光部を極力なくすと共に、液晶素子像を移動させるための光学部材の駆動機構等の部品の耐久性を向上させて、稼働時間を不用意に制限したりすることのない画像焼付装置を提供することを目的としている。
【０００１２】
【課題を解決するための手段】
前記の目的を達成するための技術的手段として、この発明に係る画像焼付装置は、縦横に多数の液晶素子が配列された液晶パネルに表示される画像を感光材上に結像させて露光するに際し、一の液晶素子によって形成される液晶素子像を複数箇所に形成して、該感光材に画像を形成する画像焼付装置において、前記液晶パネルに表示された画像を感光材上に結像させる露光レンズを、光軸と直交する面内で旋回可能に支持するレンズ旋回手段を設け、該旋回手段によって前記露光レンズを旋回させ、該旋回を複数の位置で停止させて、感光材に前記複数の位置に対応する露光を重ねて付与することを特徴としている。
【００１３】
露光レンズを光軸と直交する面内で旋回させることによって、どの位置にあっても合焦状態が維持され、露光レンズの位置に対応して感光材上の像位置も移動するので、例えば旋回運動を９０°ずつの位置で停止させて順次露光すれば、未露光部のない画像を形成することができ、見かけ上液晶素子像の密度が増加して、焼き付けられた画像の未露光部が極力除去される。
【００１４】
また、請求項２の発明に係る画像焼付装置は、縦横に多数の液晶素子が配列された液晶パネルに表示される画像を感光材上に結像させて露光するに際し、一の液晶素子によって形成される液晶素子像を複数箇所に形成して、該感光材に画像を形成する画像焼付装置において、前記液晶パネルに表示された画像を感光材上に結像させる露光レンズを、光軸と直交する面内で旋回可能に支持するレンズ旋回手段を設け、該旋回手段によって前記露光レンズを旋回させ、該旋回を継続しながら感光材に露光を付与することを特徴としている。
【００１５】
すなわち、露光レンズの旋回を継続しながら、露光を付与するようにしたものである。液晶素子像を複数位置に形成する場合に、該当する位置ごとに露光レンズを停止させて露光を付与して形成することができるが、旋回させながら露光することにより、露光時間内に液晶素子像が描いた軌跡上の点がすべて露光され、画素間の間隙による未露光部分を極力小さくすることができると共に、露光用シャッタの開閉を１回で済ますことができる。
【００１６】
また、請求項３の発明に係る画像焼付装置は、前記レンズ旋回手段を、光軸を中心として回動可能なレンズホルダに前記露光レンズを保持させ、前記レンズホルダに対して前記露光レンズを偏倚させて保持させ、前記レンズホルダを回動させるホルダ回動機構からなることを特徴としている。
【００１７】
露光レンズはレンズホルダに対して偏倚させ保持されているから、レンズホルダが回動すると、その回動中心を軸として該露光レンズが旋回することになる。これにより、該露光レンズを透過する結像光の結像位置を変化させることができ、複数位置で露光を付与することにより、該複数位置に液晶素子像を形成することができる。
【００１８】
また、請求項４の発明に係る画像焼付装置は、前記露光レンズの鏡筒は、調整ブロックを介して前記レンズホルダに取り付けられることを特徴としている。
【００１９】
前記調整ブロックを介して鏡筒が取り付けられるので、調整ブロックのレンズホルダに対する位置を調整することにより、レンズホルダの回動中心に対してレンズの偏倚量や姿勢、ピントや倍率の調整のための光軸方向の位置の調整を最適状態に設定できる。
【００２０】
【発明の実施の形態】
以下、図示した好ましい実施の形態に基づいて、この発明に係る画像焼付装置を具体的に説明する。
【００２１】
図４はこの発明に係る画像焼付装置が具備されたプリンタプロセッサ１の概略の構造を示している。プリンタプロセッサ１は、提供されたネガフィルムやポジフィルムの写真フィルムに記録された写真原画の画像データに基づいて液晶パネル６１に再現された画像を、感光材である印画紙５に露光して焼き付けし、現像、定着、水洗及び乾燥処理を行って写真プリントを完成する装置である。印画紙５への露光、焼き付け処理はプリンタ部７で行われ、現像から乾燥処理まではプロセッサ部９で行われる。
【００２２】
印画紙５は図示しないリールに巻き取られた状態でマガジン５ａに収容され、このマガジン５ａごとプリンタプロセッサ１に提供される。印画紙５は図示しない一対の引出ローラでマガジン５ａから引き出され、後述する焼付作業のために必要となる距離を上下に隔てて配されたガイドローラ１３ａ  、１３ｂ  により、これらガイドローラ１３ａ  、１３ｂ  の間で印画紙５が垂直方向に給送される。また、これらガイドローラ１３ａ  、１３ｂ  にある印画紙５に露光が付与されて、液晶パネル６１に表示された画像が焼き付けられる。
【００２３】
下側のガイドローラ１３ｂ  の下流には印画紙５を必要に応じた量で撓ませた緩衝部１５が形成され、この緩衝部１５を経由してプロセッサ部９に提供される。プロセッサ部９では、印画紙５を順次給送させて、現像、定着、水洗処理が行われる。水洗処理された印画紙５は、乾燥部１７  で乾燥処理され、カッタ１９で印画紙５の所定の範囲に形成されたコマに対応して裁断される。
【００２４】
前記液晶パネル６１は、作業テーブル２５に載置される。作業テーブル２５の下方には光源部２７が設けられている。この光源部２７には光源２７ａ  が備えられ、この光源２７ａ  からの出射光が、反射鏡２７ｂ  で反射され、色補正フィルタ２７ｃ  を透過して、作業テーブル２５に載置された液晶パネル６１を照射するようにしてある。
【００２５】
作業テーブル２５の上方には露光レンズ６３と反射鏡３１とが順次設けられており、液晶パネル６１を透過した光はこの露光レンズ６３を透過し、反射鏡３１で反射され、この反射光が、前記ガイドローラ１３ａ  、１３ｂ  で垂直方向への給送途中にある露光位置で、印画紙５に入射して露光を付与することになる。また、露光レンズ６３にはレンズ旋回手段を連繋させてあり、露光レンズ６３を後述するように旋回させる。
【００２６】
図１〜図３は前記露光レンズ６３を移動させる機構の概略構造を示している。図３は、露光レンズ６３を移動させて液晶素子像をずらす状態を説明するための図で、同図（ａ）は感光材に露光されて形成された液晶素子像Ｐ１０、Ｐ２０、Ｐ３０、Ｐ４０、Ｐ５０、Ｐ６０を示している。同図（ｂ）は、露光レンズ６３の光軸（以下、「副光軸Ｓ」と称する。）を光源の光学系の光軸（以下、「主光軸Ｍ」と称する。）に一致させずに偏倚させ、該露光レンズ６３を主光軸Ｍを中心として旋回運動させ、所望の位置において露光を付与して形成された液晶素子像Ｐを示している。この旋回を、同図（ａ）を参照し、液晶素子像Ｐ５０について説明する。液晶素子像Ｐ５０と液晶素子像Ｐ２０とのそれぞれの中心を通る直線をＬ１  とし、液晶素子像Ｐ５０と液晶素子像Ｐ６０とのそれぞれの中心を通る直線をＬ２  とする。また、液晶素子像Ｐ５０と液晶素子像Ｐ６０との中間点を通り、前記直線Ｌ１  と平行な直線をＬ３  とし、液晶素子像Ｐ５０と液晶素子像Ｐ２０との中間点を通り、前記直線Ｌ２  と平行な直線をＬ４  とする。これら４本の直線Ｌ１〜Ｌ４の交点を通る円を想定し、この円の中心を軸として液晶素子像Ｐ５０を旋回させれば、該液晶素子像Ｐ５０の中心がこの円に沿って旋回することになる。そして、上記各交点で液晶素子像Ｐ５０を形成すれば、図３（ｂ）に示すように、液晶素子像Ｐ５０、Ｐ５１、Ｐ５２、Ｐ５３が形成されて、隣接する液晶素子像Ｐ２０と液晶素子像Ｐ６０との間隙がなくなることになる。したがって、光源光学系の主光軸Ｍから偏倚させた副光軸Ｓを有する露光レンズ６３を、それぞれの液晶素子像Ｐの中心が前記交点を通過するよう、主光軸Ｍを中心として旋回させればよい。すなわち、液晶パネル６１の一の液晶素子が隣接する他の液晶素子との間の位置に位置付くように前記露光レンズ６３を移動させれば、液晶パネル６１の全ての液晶素子はそれと隣接する液晶素子との間の位置に位置付くことができ、該液晶パネル６１から形成される液晶素子像間にも液晶素子像が形成される。なお、液晶パネル６１の液晶素子間の距離は、一般に６０μｍ程度であるので、例えば、液晶素子の大きさが３０μｍ、焼付倍率が等倍として、液晶素子像が感光材上で円形軌道上を移動するとした場合には、直径がほぼ４２μｍの円運動をするように露光レンズ６３を直径約２１μｍの円周上を移動させれば、もっとも未露光部の少ない画像を得ることができる。
【００２７】
図１及び図２は前記露光レンズ６３を旋回させる機構の概略構造を示している。露光レンズ６３は鏡筒であるレンズ枠７１に収容されて保持されており、このレンズ枠７１が、レンズホルダ７２の受容孔７２ａ  に挿通された状態にある。レンズホルダ７２の上面には環状の受容環７３が設けられている。また、レンズホルダ７２の下部にはプーリ部７２ｂ  が形成されている。前記レンズ枠７１は、上側の大径部７１ａ  と下側の小径部７１ｂ  とが連続した筒状に形成されており、前記受容環７３は小径部７１ｂ  に嵌着するよう設けられている。前記レンズホルダ７２は、支持環７４に保持されており、前記受容環７３はこの支持環７４の上面に載置されている。支持環７４は外周面に軸受７５が嵌着され、この軸受７５は支持台７６に開口されたハウジング部７６ａ  に保持されており、このため、露光レンズ６３は支持台７６に旋回可能に保持されている。
【００２８】
支持台７６には駆動モータ７７が取り付けられており、この駆動モータ７７の出力軸７７ａ  に嵌着された駆動側プーリ７８と前記レンズホルダ７２のプーリ部７２ｂ  とに駆動ベルト７９が掛け渡されている。
【００２９】
図２に示すように、前記支持環７４の上面にはほぼ等間隔で３個所に位置決めブロック８０が取り付けられている。なお、この位置決めブロック８０と前記受容環７３とにより調整ブロックが構成されている。この位置決めブロック８０は固定ブロック８０ａ  と該固定ブロック８０ａ  の内側に位置させた可動ブロック８０ｂ  とから構成されている。固定ブロック８０ａ  には調整ネジ８０ｃ  が設けられており、固定ブロック８０ａ  の外側から操作できるようにしてある。この調整ネジ８０ｃ  は固定ブロック８０ａ  を貫通して設けられ、その先端が可動ブロック８０ｂ  の外側面、即ち固定ブロック８０ａ  に対向する面に形成された係合凹部８０ｄ  に係合させてある。このため、調整ネジ８０ｃ  を回転させると、その方向に応じて固定ブロック８０ａ  に対して進退し、この進退に応じて可動ブロック８０ｂ  も進退することになる。
【００３０】
前記受容環７３には、ほぼ等間隔で３個所に透孔７３ａ  が形成されており、この透孔７３ａ  には固定ネジ８１（図１参照）が遊挿されるようにしてある。このため、受容環７３は固定ネジ８１を締め付けない状態では、僅かに移動可能とされている。この状態で、露光レンズ６３の副光軸Ｓが前記主光軸Ｍからの偏倚量などを調整して、固定する。
【００３１】
また、図示省略してあるが、露光レンズ６３の初期位置を検出する初期位置検出手段が設けられている。
【００３２】
以上により構成されたこの発明の画像焼付装置に係る実施形態について、以下にその作用を説明する。
【００３３】
受容環７３をレンズ枠７１に嵌入して、該受容環７３を支持環７４に載置させて、前記透孔７３ａ  に固定ネジ８１を遊挿し、この受容環７３を支持環７４に仮止めする。この状態で、前記３つの位置決めブロック８０のうちの１つの調整ネジ８０ｃ  を締め付け、あるいは緩める。調整ネジ８０ｃ  を締め付けることにより、固定ブロック８０ａ  に対して可動ブロック８０ｂ  が固定ブロック８０ａ  から離隔する方向、即ち内側方向に移動する。また、調整ネジ８０ｃ  を緩めることにより、可動ブロック８０ｂ  が固定ブロック８０ａに接近する方向、即ち外側に移動する。これにより、受容環７３を支持環７４に対して偏倚させることができる。この受容環７３にはレンズ枠７１が収容させてあるから、このレンズ枠７１に保持されている露光レンズ６３の副光軸Ｓを、主光軸Ｍに対して偏倚させることができる。
【００３４】
露光レンズ６３の位置が定められたならば、前記固定ネジ８１を締め付けて受容環７３を支持環７４に固定すれば、該露光レンズ６３は、その副光軸Ｓが主光軸Ｍから所定の量で偏倚した状態に維持される。この状態で、液晶パネル６１に表示された画像を印画紙５に焼き付けることができる。焼き付けの際には、液晶パネル６１を透過した光が、前記所定量偏倚した露光レンズ６３を透過して印画紙５上に結像するから、これにより焼き付けることができる。
【００３５】
図１に示すように、液晶パネル６１を透過した結像光は、露光レンズ６３を透過し、印画紙５に結像して露光を付与する。このとき、主光軸Ｍと副光軸Ｓとが一致している場合には、液晶パネル６１に形成された画像は、これら主光軸Ｍ及び副光軸Ｓと印画紙５との交点で結像する。これに対して、主光軸Ｍと副光軸Ｓとが一致していない場合には、印画紙５上の結像位置は主光軸Ｍからずれた位置となる。このずれ量は、副光軸Ｓと主光軸Ｍとの偏倚量に応じて変化する。したがって、主光軸Ｍからの副光軸Ｓの偏倚量を所望の大きさとすることにより、印画紙５に焼き付けられる液晶素子像の位置を調整することができる。そして、露光レンズ６３を、主光軸Ｍを中心として旋回させ、９０°毎の旋回角度で露光を付与すれば、印画紙５に図３（ｂ）に示すように、液晶素子像Ｐ未露光部をなくして焼き付けることができる。
【００３６】
露光レンズ６１を旋回させるには、前記駆動モータ７７を作動させて行う。すなわち、駆動モータ７７の出力軸７７ａ  の回転が駆動側プーリ７８から駆動ベルト７８を介してレンズホルダ７２のプーリ部７２ｂ  に伝達される。このため、該プーリ部７２ｂ  が回動し、レンズホルダ７２に連繋している露光レンズ６３が旋回することになる。したがって、露光レンズ６３を順次ほぼ９０°旋回させて露光を行えば、未露光部が生じないように液晶素子像を配することができる。
【００３７】
以上に説明した実施形態では、ベルト駆動によって露光レンズ６３を旋回させる機構を例示したが、例えば歯車装置による駆動機構とすることもできる。すなわち、駆動モータ７６の出力軸に駆動側歯車を嵌着し、前記ホルダ収容環部材７２の外周面に従動側歯車を形成し、所望の歯車列を介して駆動モータの回転を駆動側歯車から従動側歯車に伝達させるようにすることもできる。
【００３８】
また、本実施形態では液晶パネル６１に透過式のものを用いた場合の構造について説明したが、液晶パネルに反射式のものを用いることもできる。
【００３９】
【発明の効果】
以上説明したように、この発明に係る画像焼付装置によれば、露光レンズの旋回により結像光の結像位置が変化するから、それぞれの位置で露光を行えば、液晶素子像間の間隙をなくして感光材に画像が形成される。このため、液晶素子像の未露光の部分がなくなり、焼き付けられたプリントの彩度や濃度が向上し、見た目に適正なプリントを得ることができる。また、板状の液晶パネルをその面内で移動させる場合のように、その移動の案内のための機構を備える必要がなく、しかも、レンズ鏡筒は円筒状をしており、これを回転させる機構であるので、規格品のベアリングを使用でき、安価で耐久性や信頼性を確保することができる。さらに、露光レンズを旋回させる駆動機構のベルトは、これに加わる負荷は小さく、また短いものでよいから、伸びや破断の懸念が少なく、しかも摩耗によるゴミはほとんど発生しない。
【００４０】
また、請求項２の発明に係る画像焼付装置によれば、露光レンズを旋回させながら露光を付与して液晶素子像を形成するから、１回のシャッタ開閉で１コマの露光ができ、しかも未露光部分を極力小さくできる。また、板状の液晶パネルをその面内で移動させる場合のように、その移動の案内のための機構を備える必要がなく、しかも、レンズ鏡筒は円筒状をしており、これを回転させる機構であるので、規格品のベアリングを使用でき、安価で耐久性や信頼性を確保することができる。さらに、露光レンズを旋回させる駆動機構のベルトは、これに加わる負荷は小さく、また短いものでよいから、伸びや破断の懸念が少なく、しかも摩耗によるゴミはほとんど発生しない。
【００４１】
また、請求項３の発明に係る画像焼付装置によれば、露光レンズを保持させたレンズホルダを回動させることにより露光レンズが旋回するから、簡単な構造で、確実に露光レンズを旋回させることができる。また、板状の液晶パネルをその面内で移動させる場合のように、その移動の案内のための機構を備える必要がなく、しかも、レンズ鏡筒は円筒状をしており、これを回転させる機構であるので、規格品のベアリングを使用でき、安価で耐久性や信頼性を確保することができる。さらに、露光レンズを旋回させる駆動機構のベルトは、これに加わる負荷は小さく、また短いものでよいから、伸びや破断の懸念が少なく、しかも摩耗によるゴミはほとんど発生しない。
【００４２】
また、請求項４の発明に係る画像焼付装置によれば、露光レンズの移動を容易に行うことができ、また位置決めブロックに対して調整を行うようにしたから、露光レンズの位置の調整を容易に行うことができる。しかも、簡単な構造で駆動モータの出力を露光レンズに伝達させることができる。また、板状の液晶パネルをその面内で移動させる場合のように、その移動の案内のための機構を備える必要がなく、しかも、レンズ鏡筒は円筒状をしており、これを回転させる機構であるので、規格品のベアリングを使用でき、安価で耐久性や信頼性を確保することができる。さらに、露光レンズを旋回させる駆動機構のベルトは、これに加わる負荷は小さく、また短いものでよいから、伸びや破断の懸念が少なく、しかも摩耗によるゴミはほとんど発生しない。
【図面の簡単な説明】
【図１】液晶パネルに表示された画像を透過した結像光を、露光レンズに透過させて感光材へ露光を付与する露光装置の一部を示す概略図であり、露光レンズを旋回させる機構の概略構造を示す正面図である。
【図２】図１に示す旋回機構の概略の平面図である。
【図３】この発明に係る画像焼付装置で露光を付与する原理を説明する感光材表面の拡大図であり、（ａ）はそれぞれの液晶素子像を所定の位置において焼き付けた状態を示し、（ｂ）は液晶素子像を旋回させてほぼ９０°の位置でそれぞれ焼き付けた状態を示している。
【図４】この発明に係る画像焼付装置を備えたプリンタプロセッサの概略構造を説明する構造図である。
【図５】液晶パネルを用いて感光材へ露光を付与する露光装置の一部を示す概略の斜視図である。
【図６】液晶素子像をずらして露光する従来の原理を説明する図で、図３に相当し、（ａ）はそれぞれの液晶素子像を所定の位置において焼き付けた状態を示し、（ｂ）は液晶素子像を移動させて焼き付けた状態を示している。
【符号の説明】
１  プリンタプロセッサ
５  印画紙（感光材）
２５  作業テーブル
２７  光源部
２７ａ  光源
２７ｂ  反射鏡
２７ｃ  色補正フィルタ
３１  反射鏡
６１  液晶パネル
６３  露光レンズ
７１  レンズ枠
７２  レンズホルダ
７２ａ  受容孔
７２ｂ  プーリ部
７３  受容環
７３ａ  透孔
７４  支持環
７５  軸受
７６  支持台
７６ａ  ハウジング部
７７  駆動モータ
７７ａ  出力軸
７８  駆動側プーリ
７９  駆動ベルト
８０  位置決めブロック
８０ａ  固定ブロック
８０ｂ  可動ブロック
８０ｃ  調整ネジ
８０ｄ  係合凹部
８１  固定ネジ
Ｍ  主光軸
Ｓ  副光軸
【図１】
2004151581.tif 000003
【図２】
2004151581.tif 000004
【図３】
2004151581.tif 000005
【図４】
2004151581.tif 000006
【図５】
2004151581.tif 000007
【図６】
2004151581.tif 000008